(57)【特許請求の範囲】
【請求項１】
電気機器等のスピーカに使用されるスピーカ用磁気回路において、
長方形の底面（１ａ）と底面（１ａ）の長手方向の２辺に設けた折曲部（１ｂ）とからなるヨーク（１）と、
ヨーク（１）に下から順に配設するマグネットＡ（２），ポール（４），マグネットＢ（３）及びアッパーヨーク（５）と、
底面（１ａ）の長手方向と直交する辺及びアッパーヨーク（５）の端に固着するサイドヨーク（６）とから構成し、
ポール（４）と折曲部（１ｂ）の間に平行した２列の磁気ギャップ（ｇ）を形成し、
ポール（４）を挟んで配置されているマグネットＡ（２）とマグネットＢ（３）は互いに反発し合うように厚み方向に着磁し、
マグネットＡ（２）からの磁束は、ポール（４），磁気ギャップ（ｇ），ヨーク（１）を通り、
マグネットＢ（３）からの磁束は、ポール（４），磁気ギャップ（ｇ），ヨーク（１），サイドヨーク（６），アッパーヨーク（５）を通るようにしたことを特徴とするスピーカ用磁気回路。
【発明の詳細な説明】
【０００１】
【発明の属する技術分野】
本発明は、電気機器等のスピーカに使用されるスピーカ用磁気回路に関する。
【０００２】
【従来の技術】
従来、テレビ，パソコン等に使用される長円形スピーカなどの磁気回路は長円形ボイスコイルが使用され、且つ磁気の外部漏洩防止のため長方形磁石の内磁型が用いられている。
【０００３】
図９は、テレビ，パソコン等に使用される長円形スピーカなどの従来例における内磁型のスピーカ用磁気回路である。図において、磁気回路３０は長方形のヨーク２１，長方形のマグネット２２及び長方形のポール２４から構成されている。ヨーク２１とポール２４との間にはボイスコイルを挿入する磁気ギャップｇが形成される。マグネット２２からの磁束は矢印で示すように、ポール２４，磁気ギャップｇ及びヨーク２１を通ってマグネット２２に戻る。
【０００４】
【発明が解決しようとする課題】
しかし、従来の内磁型では、マグネットがボイスコイルの内側にあるためにマグネットの寸法が制限され、磁気ギャップ内における磁束が不足するという課題がある。
【０００５】
本発明はこのような点に鑑みてなされたものであり、磁気ギャップ内における磁束の不足を解消した内磁型のスピーカ用磁気回路を提供することを目的とする。
【０００６】
【課題を解決するための手段】
従来構成のマグネットとポールの上に更にマグネットとアッパーヨークを配置し、その対向する２つのマグネット面を互いに同極としたいわゆる反発磁界方式とすることにより、不足する磁束を補っている。すなわち、ヨークの底面の長手方向と直交する一辺とアッパーヨークの一端とに固着するサイドヨークを１個新たに設け、または、ヨークの底面の長手方向と直交する２辺とアッパーヨークの両端とに固着するサイドヨークを２個新たに設けて、新たに追加したマグネットの磁気回路を構成するものである。従来のマグネットからの磁束は、ポール，磁気ギャップ，ヨークを通る。追加したマグネットからの磁束は、ポール，前記磁気ギャップ，ヨーク，サイドヨーク、アッパーヨークを通る。以上のように２つのマグネットの磁束が一つの磁気ギャップを通ることにより充分な磁束を得ることができる。すなわち、ボイスコイルの内側にあるために制限されていたマグネットの寸法を高さ方向で解決したものである。
【０００７】
【発明の実施の形態】
本発明によるスピーカ用磁気回路は、電気機器等のスピーカに使用されるスピーカ用磁気回路において、長方形の底面１ａと底面１ａの長手方向の２辺に設けた折曲部１ｂとからなるヨーク１と、ヨーク１に下から順に配設するマグネットＡ２，ポール４，マグネットＢ３及びアッパーヨーク５と、底面１ａの長手方向と直交する辺及びアッパーヨーク５の端に固着するサイドヨーク６とから構成し、ポール４と折曲部１ｂの間に平行した２列の磁気ギャップｇを形成し、ポール４を挟んで配置されているマグネットＡ２とマグネットＢ３は互いに反発し合うように厚み方向に着磁し、マグネットＡ２からの磁束は、ポール４，磁気ギャップｇ，ヨーク１を通り、マグネットＢ３からの磁束は、ポール４，磁気ギャップｇ，ヨーク１，サイドヨーク６，アッパーヨーク５を通るようにしたことに特徴を有する。
【０００８】
【実施例】
以下、本発明の一実施例を図面に基づいて説明する。図８は本発明の第１実施例に使用されるヨークの斜視図である。ヨーク１の底面１ａは長方形であり、長手方向の２辺に底面１ａと略直角に折曲部１ｂが設けてある。折曲部１ｂの内側の上部には突部１ｃを設けて後述するポールとで磁気ギャップを形成するようになっている。更に、底面１ａの長手方向と直交する一辺に延長部１ｄを設けて後述するサイドヨークとの固着個所としている。
【０００９】
図１は本発明の第１実施例におけるスピーカ用磁気回路の斜視図である。図において、１は図８で説明した長方形のヨーク，６は断面Ｉ字型のサイドヨーク，２は長方形のマグネットＡ，３は長方形のマグネットＢ，４は長方形のポール，５は長方形のアッパーヨークであり、１０は全体の構成を示す磁気回路である。なお、図における矢印は磁束の方向を示している。マグネットＡ２とマグネットＢ３はその対向する２面を互いに同極とした反発磁界を生成している。サイドヨーク６はヨーク１の一辺とアッパーヨーク５の一端とに固着してある。
【００１０】
上記の構成により、マグネットＡ２からの磁束は、ポール４，ポール４とヨーク１の間に形成される磁気ギャップｇ，ヨーク１を通る。マグネットＢ３からの磁束は、ポール４，磁気ギャップｇ，ヨーク１，サイドヨーク６，アッパーヨーク５を通る。このように２つのマグネットの磁束が一つの磁気ギャップｇを通ることにより充分な磁束密度を得ることができる。
【００１１】
図２は、図１におけるＡＡ断面図であり、マグネットＡ２からの磁束の通りが明確に示されている。構成は図１と同じであり、同一符号を使用しているので詳細な説明は省略する。なお、図における矢印は磁束の方向を示している。
【００１２】
図３は、図１におけるＢＢ断面図であり、マグネットＢ３からの磁束の通を示している。マグネットＢ３からの磁束はポール４，磁気ギャップｇを通ってヨーク１に至る（図示せず）。更に、この磁束はヨーク１の底面１ａ，サイドヨーク６，アッパーヨーク５を通る。構成は図１と同じであり、同一符号を使用しているので詳細な説明は省略する。なお、図における矢印は磁束の方向を示している。例では断面がＩ字型のサイドヨーク６を使用した場合を説明したが、断面がＬ字型のサイドヨークを使用することも可能である。この場合には図８で説明したヨーク１の延長部１ｄは不要となる。
【００１３】
図４は、本発明の第２実施例におけるスピーカ用磁気回路の斜視図である。図において、１１はヨークである。このヨーク１１は、図８で説明したヨーク１の底面１ａの長手方向の辺に直交する２辺に延長部１ｄを各々設けたものである。。１５は長方形のアッパーヨークであり、２０は全体の構成を示す磁気回路である。第１実施例ではサイドヨーク６を１個使用していたが、第２実施例では２個使用している点が異なっている。矢印はマグネットＢ３からの磁束の通る方向を示しており、磁束は２個のサイドヨーク６の両方を通る。
【００１４】
図５は、図４におけるＣＣ断面図であり、マグネットＢ３からの磁束の通を示している。マグネットＢ３からの磁束はポール４，磁気ギャップｇを通ってヨーク１１に至る（図示せず）。更に、この磁束はヨーク１１の底面，２つのサイドヨーク６，アッパーヨーク１５を通る。従って、実施例１と比べて磁気抵抗が減少し、かつ、磁気ギャップｇにおける磁束密度のバランスも良くなる。例では断面がＩ字型のサイドヨーク６を使用した場合を説明したが、断面がＬ字型のサイドヨークを使用することも可能である。この場合には図８で説明したヨーク１の延長部１ｄは不要となる。
【００１５】
図６は、本発明の第１実施例におけるスピーカ用磁気回路にボイスコイルを配設した状態を示す斜視図である。例では、ボイスコイルの形状はトラック状である。図に示すように筒状のボイスコイルはポール４とヨーク１との間に形成さる磁気ギャップｇに挿入される。
【００１６】
図７は、本発明の第１実施例におけるスピーカ用磁気回路を用いたスピーカの断面図である。図において、９は磁気回路１０の磁気ギャップｇに挿入配置されているボイスコイルであり、８はこのボイスコイル９に固着された振動板であり、７はこれらを保持するダンパーである。２つのマグネットの磁束が一つの磁気ギャップｇを通る事により充分な磁束を得ることができる。
【００１７】
【発明の効果】
以上説明したように、本発明によるスピーカ用磁気回路は、長方形の底面１ａと底面１ａの長手方向の２辺に設けた折曲部１ｂとからなるヨーク１と、ヨーク１に下から順に配設するマグネットＡ２，ポール４，マグネットＢ３及びアッパーヨーク５と、底面１ａの長手方向と直交する辺及びアッパーヨーク５の端に固着するサイドヨーク６とから構成し、ポール４と折曲部１ｂの間に平行した２列の磁気ギャップｇを形成し、ポール４を挟んで配置されているマグネットＡ２とマグネットＢ３は互いに反発し合うように厚み方向に着磁し、マグネットＡ２からの磁束は、ポール４，磁気ギャップｇ，ヨーク１を通り、マグネットＢ３からの磁束は、ポール４，磁気ギャップｇ，ヨーク１，サイドヨーク６，アッパーヨーク５を通るようにしたので、
磁気ギャップ内における磁束の不足を解消した内磁型のスピーカ用磁気回路を提供することができる。
【図面の簡単な説明】
【図１】本発明の第１実施例におけるスピーカ用磁気回路の斜視図である。
【図２】図１におけるＡＡ断面図である。
【図３】図１におけるＢＢ断面図である。
【図４】本発明の第２実施例におけるスピーカ用磁気回路の斜視図である。
【図５】図４におけるＣＣ断面図である。
【図６】本発明の第１実施例におけるスピーカ用磁気回路にボイスコイルを配設した状態を示す斜視図である。
【図７】本発明の第１実施例におけるスピーカ用磁気回路を用いたスピーカの断面図である。
【図８】本発明の第１実施例に使用されるヨークの斜視図である。
【図９】従来例におけるスピーカ用磁気回路である。
【符号の説明】
１，１１，２１  ヨーク
１ａ  底面
１ｂ  折曲部
１ｃ  突部
１ｄ  延長部
２  マグネットＡ
３  マグネットＢ
４，２４  ポール
５，１５  アッパーヨーク
６  サイドヨーク
７  ダンパー
８  振動板
９  ボイスコイル
１０，２０，３０  磁気回路
２２  マグネット
ｇ  磁気ギャップ
【図１】
0003666692.tif 000002
【図２】
0003666692.tif 000003
【図３】
0003666692.tif 000004
【図４】
0003666692.tif 000005
【図５】
0003666692.tif 000006
【図６】
0003666692.tif 000007
【図７】
0003666692.tif 000008
【図８】
0003666692.tif 000009
【図９】
0003666692.tif 000010